Podtech/llm-jp-corpus-v4-ja_patent huggingface dataset:
(57)【要約】      （修正有）【課題】従来の技術によれば、歯ブラシとハミガキ容器が別個の物となっておりそのため歯を磨く際に、歯ブラシに別個の容器に詰まっているハミガキをつけて使用するため、持ち運んで使用する場合などはかさばるなど特に不便であった。歯ブラシとハミガキ容器を一体にし、さらにポンプ機能を付加させより携帯に便利で利便性に優れた歯ブラシ器具を提供する。【解決手段】ブラシ部分１とハミガキ収納容器となっている枝の部分２からなるハミガキ容器一体の歯ブラシ。さらに、ブラシ部分１をブラシ兼ポンプ本体にし、枝の部分２をハミガキ容器からなるポンプ付きハミガキ容器一体の歯ブラシ。【選択図】図２
2006341036.tif 000002
【特許請求の範囲】
【請求項１】
歯ブラシ本体の握り部分をハミガキ容器兼用とした歯ブラシ。
【請求項２】
歯ブラシ部分をポンプ機能兼用とした請求項１記載の歯ブラシ。
【発明の詳細な説明】
【技術分野】
【０００１】本発明は、歯を磨くための歯ブラシの形状に関する。
［背景技術］【０００２】従来の歯を磨く時に用いる歯ブラシの形状は、歯ブラシ単体の物である。
［発明の開示］
［発明が解決しようとする課題］【０００３】従来の技術によれば、歯ブラシとハミガキ容器が別個の物となっており、そのため歯を磨く際に、歯ブラシに別個の容器に詰まっているハミガキをつけて使用するため、持ち運んで使用する場合などは特に不便であった。また、一部ハミガキがブラシに付着している物があるが一度だけの使用の使い捨てで、継続使用できるものでなかった。
そこで、この発明はこれらのことを解決することを課題とする。
［課題を解決するための手段］【０００４】以上の課題を解決するために、第一発明は歯ブラシ本体の握りの部分をハミガキ容器と兼用とする歯ブラシである。
また、第２発明は歯ブラシ本体のブラシ部分と枝の部分をハミガキ抽出のポンプ機能兼用を設けたことを特徴とする歯ブラシである。
［発明の効果］【０００５】第一発明、第２発明によれば歯ブラシとハミガキ容器が一体となり使い勝手がよくなり、特に持ち運び使用など携帯の利便性もよく、さらにハミガキを注出するポンプを設けることにより利便性がよく、継続使用ができる。
［発明を実施するための最良の形態］【０００６】以下この発明の実施の例について説明する。
図示のハミガキ容器一体歯ブラシは、ブラシ部分である上部の柄の部分（１）と、ハミガキを収納する容器を兼用する握り部分（２）からなる。
このブラシを使用するときは、握りの部分（２）をはずし、ハミガキを（２）から取り出し（１）のブラシにハミガキをつけおこなう。
【図面の簡単な説明】
【０００７】
【図１】本発明の実施形態を示す全体図
【図２】本発明の実施形態を示すポンプ兼用歯ブラシ全体図
【符号の説明】
【０００８】１  ポンプ兼用歯ブラシ部分（柄の部分）
２  歯ブラシの握りの部分（ハミガキ容器兼用）
３  接合部分
４  ブラシ
５  ハミガキ抽出口
６  ストッパ−
【図１】
2006341036.tif 000003
【図２】
2006341036.tif 000004
(57)【要約】【課題】従来、Ｔ字型を有する剃刀は、その形状から毛髪や髭などに剃刀を平行に押し当て剃っていた。平行に押し当て剃る事は毛髪や髭などを掻き切る状態であり、刃の切れ具合に影響があった。【解決手段】そこで以上の課題を解決するため、剃刀の刃を剃る方向に任意の角度をつけ、毛髪や髭に斜め当て剃ることにより作業が短時間で済み、肌の損傷や刃の磨耗が少なくてすむ。【選択図】図１
2006341040.tif 000002
【特許請求の範囲】
【請求項１】
剃刀の刃を、剃る方向に任意の角度をつけ、毛髪や髭に斜め当て剃ることを特徴とする剃刀。
【請求項２】
前記の剃る角度は、自由に調整できることを特徴とする請求項１記載の剃刀。
【発明の詳細な説明】
【技術分野】
【０００１】  本発明は一般に言うＴ型安全剃刀において、その形状及び仕様に関する。
【背景技術】
【０００２】  従来、Ｔ字型を有する剃刀は図−２に示す様に、その形状から毛髪や髭などに剃刀を平行に押し当て剃っていた。
【発明の開示】
【発明が解決しようとする課題】
【０００３】  しかしながら、以上の技術によれば平行に押し当て剃る事は毛髪や髭などを掻き切る状態であり、刃の切れ具合に影響があった。そこでこの発明は、使い勝手の良い剃刀を提供することを課題とする。
【課題を解決するための手段】
【０００４】  以上の課題を解決するために、第一発明は、剃刀の剃る方向に任意の角度をつけ、毛髪や髭に斜め当て剃ることを特徴とする剃刀である。
また、第２発明は、剃る角度を自由に調整できることを特徴とする剃刀である。
【発明の効果】
【０００５】  周知のことであるが、切断する物に刃を斜めに当てて切断するほうが平行に押し当てて押し切るより切れ具合が良い。そこで第一発明または、第２発明により刃を斜めに当てて剃れば
（１）切れ具合（剃り具合）がよいので作業が短時間ですみ、肌の損傷が少ない。
（２）切れ具合（剃り具合）がよいので刃の磨耗が少なくすみ、経済的である。
【発明を実施するための最良の形態】
【０００６】この発明の一実施形態を図１に示す。
刃１が任意の角度（斜めに）に取り付けてある。【０００７】「実施形態の効果」
この実施形態によれば、剃る方向に任意の角度をつけ、剃ることにより作業が短時間で済み、肌の損傷や刃の磨耗が少ない。【０００８】「他の実施形態」
図１の実施形態では、剃り角度は任意の位置角度になっているが、他の実施形態では角度が自由に調整できる物でも良い。
【図面の簡単な説明】
【０００９】
【図１】この発明の一実施形態を示す正面図である。
【図２】従来技術を示す正面図である。
【符号の説明】
【００１０】１  刃部    ２  柄
【図１】
2006341040.tif 000003
【図２】
2006341040.tif 000004
(57)【要約】      （修正有）【課題】    ランドセルの遊動体（７）と引っ掛け部（８）の背カンの本体（６）との取り付け部分の隙間に髪の毛が侵入しランドセルを背負っている時や下ろすときに髪の毛を挟んでしまい痛い思いをすることを防ぐことができる背カンカバーを提供すること。【解決手段】    背カンカバー本体（１）の上部にランドセルのベルトを通す筒状のベルト通し（２）を左右に取り付け、その中央に背カンの引っ掛け部（８）を通す筒状の引っ掛けカンカバー（３）を取り付け、蓋が出来るようにベロクロ（４）が取り付ける。背カンカバー本体（１）とは反対側にベルトを通す左右の筒状のベルト通し（２）とその中央に背カンの引っ掛け部（８）を通す筒状の引っ掛けカンカバー（３）に隙間のないように取り付けたベロ（５）を取り付ける。【選択図】  図２
2006341038.tif 000002
【特許請求の範囲】
【請求項１】
背カンカバー本体（１）の上部にランドセルのベルトを通す筒状のベルト通し（２）を左右に取り付け、その中央に背カンの引っ掛け部（８）を通す筒状の引っ掛けカンカバー（３）を取り付ける。  その引っ掛けカンカバー（３）には蓋が出来るようにベロクロ（４）が取り付けてある。  また、背カンカバー本体（１）とは反対側に背カンカバー本体（１）と同じようにベルトを通す左右の筒状のベルト通し（２）とその中央に背カンの引っ掛け部（８）を通す筒状の引っ掛けカンカバー（３）に隙間のないように取り付けたベロ（５）が取り付いている。  以上を特徴とする背カンカバーである。
【発明の詳細な説明】
【技術分野】
【００１】      本発明はランドセルの背カンにかぶせるカバーに関するものである。
【技術背景】
【００２】      従来は背カンをカバーするものがなく髪の毛の長い児童がランドセルを背負うと背カンの本体に髪の毛が侵入し髪の毛をはさんでしまって痛い思いをすることを防ぐことが出来なかった。
【発明の開示】
【発明が解決しようとする課題】
【００３】      ランドセルの背カンはその構造上どうしても遊動体（７）と引っ掛け部（８）の背カンの本体（６）との取り付け部分に隙間が生じ、その部分から髪の毛が侵入しランドセルを背負っている時や特に下ろすときに誘導体（７）や引っ掛け部（８）が髪の毛を挟んでしまい痛い思いをすることを防ぐことは出来なかった。
【課題を解決するための手段】
【００４】      背カンカバー本体（１）の上部にランドセルのベルトを通す筒状のベルト通し（２）を左右に取り付け、その中央に背カンの引っ掛け部（８）を通す筒状の引っ掛けカンカバー（３）を取り付ける。  その引っ掛けカンカバー（３）には蓋が出来るようにベロクロ（４）が取り付けてある。  また、背カンカバー本体（１）とは反対側に背カンカバー本体（１）と同じようにベルトを通す左右の筒状のベルト通し（２）とその中央に背カンの引っ掛け部（８）を通す筒状の引っ掛けカンカバー（３）に隙間のないように取り付けたベロ（５）が取り付いている。  以上を特徴とする背カンカバーである。
【発明の効果】
【００５】      カバーでしっかりと背カンの本体の隙間部分を覆っているので髪の毛が入る余地がないようになっている。
【発明を実施するための最良の形態】
【００６】以下、本発明の実施の形態について説明する。
（イ）  背カンカバー本体（１）の上部の左右の端に筒状のベルト通し（２）を取り付ける。
（ロ）  左右のベルト通し（２）の間に筒状の背カンの引っ掛けカン部（８）を通す引っ掛けカンカバー（３）を隙間のないように取り付ける。
（ハ）  （イ）と（ロ）で取り付けたベルト通し（２）と引っ掛けカンカバー（３）の背カンカバー本体（１）とは反対側に背カンカバー本体と同じように隙間のないようにベロ（５）を取り付ける。
（ニ）  引っ掛けカンカバーにベロクロ（４）が取り付けてあり引っ掛けカン部（８）に引っ掛けカンカバー（３）を通した後、ベロクロ（４）で蓋をすることが出来るようにしてある。
本発明は以上のような構成で、これを使用するときは、左右のベルト通し（２）にランドセルの肩かけベルト（９）を通し中央の引っ掛けカンカバー（３）に背カンの引っ掛けカン部（８）を通してベルクロ（４）で蓋をする。
【図面の簡単な説明】
【００７】
【図１】本発明のランドセルに取り付けた図
【図２】本発明の立体図
【図３】本発明をばらした図
【図４】背カンの構造図
【符号の説明】
【００８】１  背カンカバー本体
２  ベルト通し
３  引っ掛けカンカバー
４  ベロクロ
５  ベロ
６  背カン本体
７  遊動体
８  引っ掛けカン部
９  肩掛けベルト
【図１】
2006341038.tif 000003
【図２】
2006341038.tif 000004
【図３】
2006341038.tif 000005
【図４】
2006341038.tif 000006
(57)【要約】【課題】  乳幼児を抱く者の腕の負担を減らす事ができ、さらに乳児が楽な真直ぐな姿勢で抱くことができ、装着や抱き下ろしが簡単迅速でかさばらない抱っこ補助具を提供する。【解決手段】  乳児を抱く前に、帯状のものの一端にある筒を抱きかかえる方の手部にはめ、そこから他端を背中にまわし対側の肩掛けておき、乳児を抱いてから手背部付近で端同士を接合し輪とし、たすきがけとなる抱っこ補助具。【選択図】図４
2006341080.tif 000002
【特許請求の範囲】
【請求項１】
帯状のもので両端付近に接続器を有する帯部があり、帯部の一端付近に抱く者の手部や前腕にはめることができる構造の固定部がある。帯部の両端付近の接続器を接合させて輪とすることで、その輪が抱く者の肩に掛けた、たすきがけとなり、乳児を抱いている上肢を下から支えて補助する抱っこ補助具（ベビーキャリア）。
【請求項２】
乳児を抱く前に、まず前記固定部を抱きかかえる方の手部付近にはめ、前記帯部を手背側にして他端を背中にまわし対側の肩掛けておき、乳児を抱いてから帯部両端の接続器同士を接合するという容易迅速な手順で使用できることを特徴とする請求項１記載の抱っこ補助具。
【請求項３】
前記帯部と固定部とは可動性をもって接合していること。帯部には長さを変化させることができる長さ調節器があることを特徴とする請求項１記載の抱っこ補助具。
【発明の詳細な説明】
【技術分野】
【０００１】  本発明は、乳児が楽な真直ぐな姿勢で抱くことができ、抱く者の上肢の筋負担を軽減し、かつ容易に使用でき、かさばらない乳児用抱っこ補助具に関する。
【発明の開示】
【発明が解決しようとする課題】
【０００２】  乳児に対しては横抱きで抱くことが多いが、その横抱きでは肘を屈曲させて児を支えているので、この姿勢を長時間とることは肘屈曲筋の負担が大きくつらい。従来からある乳幼児用腕枕は様々な形態のものがあるが、それを用いて抱くと乳幼児への圧迫は優しくなるが、親が肘を屈曲位に保持する筋負担は依然として大きい。座って動かないのなら前腕の下に枕を敷く方法があるが、あやしたりするなど動く必要が多く、その方法には限界がある。【０００３】  腕の負担を軽減するものに従来からベビーキャリアやスリングがあるが、いずれもかさばり、構造も複雑である。そしてそれらは布という柔軟な素材で児の体幹部を支えるため児の重さでたわみ、背中や頚が屈曲し丸まって腹部や喉を圧迫し苦しそうな姿勢となってしまう。そのほか、ベビーキャリアは使用するのに多くの手順を必要とし煩雑であるものが多いことと、児との密着性が低いこと、そのままでは授乳できないことの問題がある。スリングは児を袋に抱き入れるなどの作業に熟練を要したり、場合によっては児の股関節開排を制限して先天性股関節脱臼を誘発してしまう危険がある。【０００４】  特に首のすわらない乳児では、背中に抱く「おんぶ」で抱けないため、抱いたままで家事はできない。屋内では、母親は多くの家事の合間に何度も児を抱いてあやしたり授乳させたりと抱き下ろしが頻回に必要である。よってベビーキャリアやスリングを屋内で普段から使用することは難しい。そこで、より屋内での使用に適したものとして、装着手順が少なく容易迅速に装着でき、かさばらず、児を抱く腕を支える補助となり筋負担を減らす事ができるものが望ましい。さらに屋内外問わず、児を丸まらせずに良い姿勢で抱く事が必要である。【０００５】  以上の事を鑑みて本発明の目的は、抱く者の上肢の筋負担を軽減し、かつ装着や抱き下ろしが容易で迅速にでき、かさばらなく、乳児が楽な真直ぐな姿勢で抱くことができる抱っこ補助具を提供することである。
【課題を解決するための手段】
【０００６】  帯状のものの一端に筒状もしくは手袋状の構造物をつけ、そして両端に接合器がつき、途中に長さ調節器のある構造とする。筒状もしくは手袋状の部分に抱く方の手部をはめ、帯状のものはその手背側にあり他端を背中にまわし、対側の肩に掛けておく。そして乳児を抱きかかえた後、その端同士を接続器でつなぎ輪とする。【０００７】  上記筒状の部分を弾性素材でより長く作り、前腕につけるようにして腕枕を兼ねるようにしても良い。
【発明の効果】
【０００８】  帯が輪となり、肩にたすきがけ状に掛かることにより肘屈曲保持を補助して筋負担を減らす事ができる。そのため片手だけでも楽に抱ける。【０００９】  装着や抱き下ろしが非常に容易で迅速に可能である。よって特に屋内での使用に有用である。【００１０】  前腕という硬質なもので児を支えるため児の体幹が丸まってしまう事がない。前腕が支柱となり児を真直ぐに抱く事ができる。【００１１】  横抱きだけでなく対面抱きや縦抱きでも使用可能である。【００１２】  抱く者は片手がふさがるが、所用の多くのことは、片手で済ますことが可能であり十分有用である。【００１３】  帯は乳児を圧迫することがない。腕枕のクッション性により親の前腕や乳幼児にかかる圧迫をやわらげる。
【発明を実施するための最良の形態】
【００１４】  以下、本発明の実施形態を図１〜５に基づいて説明する。【００１５】  図１，２のように帯１は布もしくは布に弾性材をいれたものによる帯状のもので、一端には筒２をつけ、その付近の対面にはバックル等の接続器３がある。他端には接続器４がある。帯１にはスリング用リングやトリグライド等の長さ調節器５があり、長さを調節することができる。筒２も布製で母指を通す孔が両側面にあり、左右どちらの手にもはめる事ができる。筒２は帯１と全面にわたり接合しているのでなく一部分のみにて接合しており、回旋することができ筒２つまり手と帯１との角度に自由度がある。【００１６】  使用方法は、まず帯１を手背側にして筒２を乳児を抱く方の手部にはめ、他端を背中にまわし、対側肩にかけておく。そして乳児を抱きかかえる。接続器４を接続器３に接続して輪となり装着が完了する。以上、図３から図４のようになる。【００１７】  長さ調節器５により帯１の長さを変えて、肘の屈曲角度が調度良くなるように調節する。【００１８】  以上のものの亜型として、上記に追加して腕枕を兼ねるようにもするため、弾力性のある素材で長方形のものに前腕近位にはめるためのゴムバンドをつけ、これを筒２に接合してもよい。別の亜型として、図５のように筒２のかわりに前腕部に巻きつけマジックテープでとめる構造を設けたタイプでもよい。
【図面の簡単な説明】
【００１９】
【図１】乳児用抱っこ補助具の上面図である。
【図２】乳児用抱っこ補助具の下面図である。
【図３】乳児用抱っこ補助具の装着時抱っこ前の全体図である。
【図４】乳児用抱っこ補助具の装着時抱っこ後の全体図である。
【図５】乳児用抱っこ補助具の亜型である。
【符号の説明】
【００２０】    １    帯
２    筒
３    接続器
４    接続器
５    長さ調節器
６    マジックテープ
【図１】
2006341080.tif 000003
【図２】
2006341080.tif 000004
【図３】
2006341080.tif 000005
【図４】
2006341080.tif 000006
【図５】
2006341080.tif 000007
(57)【要約】【課題】  無理なく楽な姿勢で身体の手の届かない痒い細部にまで届き、シャツ、下着等の上からもその効果を得られ、製作に手間も費用もかからない直角形状の孫の手を提供する。【解決手段】  直線形状の孫の手より腕部を長く取り、長腕部と短腕部に分けて直角に曲げることで自由な回転が生まれ、長短の腕部を持ちかえ使用すると、その巾を狭くしているので狭い所での新なるスム−スな回転が得られる。  また長短両端手部には滑り止め部材を固定またはアタッチメントとして取り付けてあるので、下着、シャツ等の上から使用すると下着、シャツ等を少し移動させ、衣類が痒い所を摩擦して、孫の手としての効果が発生する。さらに汗の上からでは孫の手の効果は半減以下になるが、やや強い目の滑り止め部材は十分な効果を得る。【選択図】  図１
2006341041.tif 000002
【特許請求の範囲】
【請求項１】
身体の中で手の届かない細部まで楽な姿勢で使用する目的で長腕部と短腕部に分けて直角に曲げてその効果を得た直角孫の手。
【請求項２】
下着やシャツ等の薄い布の上からでも痒い所が、布の移動による摩擦で掻くことのできるように長腕部、短腕部両先端手部に滑り止め部材を固定又はアタッチメントとして設けたのが特徴の直角孫の手。
【請求項３】
直線形状の孫の手より巾を狭くして、衣類の下で使用する時、回転反転が楽に出来るようにした直角孫の手。
【発明の詳細な説明】
【技術分野】
【０００１】  本発明は腕部を直角に形成し手部に滑り止めを設けた、薄い衣類の上からもその効果が得られる直角孫の手に関する。
【背景技術】
【０００２】  従来の孫の手は直線形の竹製の手部を曲げた簡単で安価で手軽に用いられた。  また中には腕部に自由に角度調節が出来、手部指先に突起状の爪部を設けて形態にも便利な利点の多いものがある。
【特許文献１】  特開平８−５７００９
【発明の開示】
【発明が解決しようとする課題】
【０００３】  しかしながら直線形の孫の手は細部の痒い所に届かなかったり、かなり無理な姿勢で頭上高く手を伸ばしたりする動作を強いられる場合が多く、爪部の先端は滑りがちで、汗の上からはその効果は少なく、布の上からは効果は無い。  また角度調節回転部を設けた孫の手は痒い時の急を要する中で一々調節している間はない。固定した直角形孫の手で十分その役目を果たすことができる、その上角度調節装置を設けるには多くの手間と費用がかかり、安価が売り物の孫の手にはその需要は見込まれない。
【課題を解決する手段】
【０００４】  本発明は直線形を直角に形成したことで、曲がりの多い身体の細部に楽な姿勢でその先端が届き手部に設けた滑り止め部材は薄衣類、下着、シャツ等の上からでも汗の上からでもその効果が得られる。  また製作面でも直角に曲げて固定しただけで手間も費用もかからず、急な時にもすぐ応じられることで上記課題を解決する。
【発明の効果】
【０００５】  本発明は腕部を長腕部と短腕部に分けて直角に曲げて固定してあるので、持ち手を長短使い分け、首部から腰部から差し入れが簡単に楽に使用出来その効果を発揮する。
【発明を実施するための最良の形態】
【０００６】  本発明は腕部を直角に曲げて長腕短腕に分け、必要に応じて持ち手を替え身体の上部から、下部から自由に、下着、シャツ等の上から、肌の上から使用を可能にした。
４短腕部先端、５長腕部先端に布の滑り止めを固定又はアタッチメントとして設けてあるので、滑り止め部材を布面に直接押し当て軽く移動さすと布の摩擦によって痒いところにその効果が発生する。  なお５の長腕部先端には４の短腕部先端よりも強力な部材を設けてあるので、必要に応じてその効果が期待出来る。
【図面の簡単な説明】
【０００７】
【図１】  本発明に係る腕の長腕部、短腕部を持つ直角形状をして両端のに滑り止め部材を設けた直角孫の手の概観図である。
【符号の説明】
【０００８】１  直角孫の手の長腕部
２  直角孫の手の短腕部
３  直角孫の手の全長の巾
４  短腕部先端手部の滑り止め部材
５  長腕部先端手部の滑り止め部材
【図１】
2006341041.tif 000003
(57)【要約】      （修正有）【課題】本発明は、鼻孔拡張リングを鼻孔に挿入することにより、鼻の空気流通抵抗が少なく、取り扱いが簡単で長期間使用できる、鼻づまり防止具を提供することにある。【解決手段】人体に無害な一体の線状部材又は人体に無害なシリコンゴムやビニール等の素材で被覆した、一体の線状部材で形成された鼻孔拡張リング１を鼻孔に挿入することにより、物理的に鼻孔を拡張して空気流通路を確保し課題を解決する。【選択図】図１
2006341050.tif 000002
【特許請求の範囲】
【請求項１】
一体の線状部材で構成された鼻中隔押圧部と、鼻翼押圧部と、連結部とからなり、左右へＶ字状に形成されたことを特徴とする鼻孔拡張リング。
【発明の詳細な説明】
【技術分野】
【０００１】  本発明は、鼻孔を拡張して鼻呼吸を円滑に行うための鼻孔拡張リングに関するものである。
【背景技術】
【０００２】  従来の鼻孔を拡張し鼻呼吸を円滑にする方法は、クリップ状器具や鼻孔内に拡張器具を挿入したり、鼻外側壁より弾性バンドで拡張する等の提案がなされている。【０００３】
【特許文献１】特開平１１−１１４０７１号広報
【特許文献２】特開２００２−３０１１５３号広報
【特許文献３】特開平１０−１２７７７６号広報
【特許文献４】特開２００３−０５２７３１号広報
【特許文献５】特開２００３−１４４４７４号広報
【発明の開示】
【発明が解決しようとする課題】
【０００４】  従来の提案には、挿入する部分が、空気流通路の面積を小さくしたり、取り出しが不便であったり、接着剤による皮膚アレルギー、皮脂・発汗による接着力の低下、構造が複雑等、使い勝手が良くないという課題をかかえている。【０００５】  本発明は、鼻孔を拡張するリングを鼻孔内に挿入して鼻翼を外側に押し広げるものであるが、線状部材を使うことにより空気流通路面積への影響を少なく、繰り返し使用しても効果が衰えない、使い勝手の良い鼻孔拡張リングの提供を目的としている。
【課題を解決する手段】
【０００６】  上記目的を達成するために、この発明は、適度な弾性と可塑性を有する、体に無害な一体の線状部材又は体に無害なシリコンやビニール等の素材で被覆した一体の線状部材で鼻中隔押圧部と、鼻翼押圧部と、連結部とで鼻孔拡張リングを構成している。
【発明の効果】
【０００７】  上述のように線状部材を使用したことにより空気流通路面積減少への影響を少なくしたため空気摩擦が低下し円滑な鼻呼吸を確保できる。従って口呼吸による、喉や気管支・肺への異物・塵・外気温・湿度に対する影響を軽減することができる。
【０００８】  また、粘着剤を使用しないため、皮膚アレルギーや皮脂・発汗による粘着力低下の問題がなく長期間にわたり使用できる。
【０００９】  体力を消耗する運動や労働を行うと呼吸量が増加して鼻孔内を通過する空気吸入速度が速くなり鼻翼を内側に移動させて空気流通路を狭くしてしまうが、本発明の鼻孔拡張リングを装着することにより鼻翼が、内側に移動することを防止し空気流通路は確保される。
【００１０】  線状部材は、弾性、可塑性を有しているので形状を調整し鼻中隔押圧力や鼻翼押圧力を変えることができる。また、使用者各人の鼻孔サイズに合わせることにより違和感の少ない使い勝手の良い鼻孔拡張リングとなる。
【発明を実施するための最良の形態】
【００１１】  本発明のリングを形成する一体の線状部材の両端は、リングの挿入、引き出し時、鼻孔内壁保護のため図２，２のように球状となっている。【００１２】  リング中央の鼻中隔押圧部は、左右の鼻孔内より鼻中隔壁を挟着しリングを固定する部分で、図２，３のように波形形状を成して接触抵抗を増し、滑りによる移動を防止している。【００１３】  鼻中隔壁は、各人の形状が異なるので鼻中隔押圧部は、波形直線状でなくても各人の形状に合わせることにより、違和感を生じることがなくリングを安定して固定できる。【００１４】  リング外縁は、左右鼻翼を鼻内部より外側に拡張する鼻翼押圧部となり、図２，４のように左右外側に湾曲している。又湾曲度合いを変えて鼻中隔押圧部と鼻翼押圧部の間隔を変えることで鼻翼押圧力が変わり、各人に合った鼻翼を外に押し出す力が得られて、違和感の少ない鼻孔拡張リングとなる。【００１５】  リング連結部は、左右の各構成部分の散逸防止と、リングの鼻の奥への移動防止と、引き出す時の摘まむ場所となる。又湾曲度合いを変えることで鼻中隔押圧力が変わり、適度な挟着力が得られる。【００１６】  リング全体が弾性、可塑性を有した一体の線状部材で構成されているため部分的又は、全体的に形状を調整することが可能で、各自の鼻の寸法に合わせることにより違和感が少なく、使い勝手の良い鼻孔拡張リングとして使用することができる。【００１７】  図３及び図４に示すように、左右へＶ字状に形成しているので、図８のように鼻翼を直角に押す力となり、効果的に鼻翼を拡張することができる。【００１８】  線状部材は、成形が容易なため特許請求の範囲に記載された技術的思想の範疇内において成人や子供、女性と男性、各人に合わせて若干の寸法・形状変更は、この発明の技術的範囲に属するものと理解される。
【図面の簡単な説明】
【００１９】
【図１】本発明の斜視図である。
【図２】本発明の平面図である。
【図３】本発明の正面図である。
【図４】本発明の背面図である。
【図５】本発明の側面図である。
【図６】鼻孔拡張リングを鼻に装着した鼻の外観図である。
【図７】吸入時、鼻孔拡張リングを装着していない時の、図６のＡ−Ａ断面図である
【図８】吸入時、鼻孔拡張リングを装着した時の、図６のＡ−Ａ断面図である。
【符号の説明】
【００２０】１  鼻孔拡張リング本体
２  球状末端
３  鼻中隔押圧部
４  鼻翼押圧部
５  連結部
６  鼻中隔壁
７  鼻翼
８  空気流通路
９  鼻孔拡張リング
【図１】
2006341050.tif 000003
【図２】
2006341050.tif 000004
【図３】
2006341050.tif 000005
【図４】
2006341050.tif 000006
【図５】
2006341050.tif 000007
【図６】
2006341050.tif 000008
【図７】
2006341050.tif 000009
【図８】
2006341050.tif 000010
(57)【要約】【課題】  据置型パラソルをセットしたテ−ブルを、そのまゝスライドして地面上を移動できる、テ−ブル用パラソル保持具を提供する。【解決手段】  所要の内径を有する縦筒の側壁に、押しボルトを中空部へねじ込み可能に取付け、また、縦筒の下端部に、４本の係留紐を横方向の放射状に取付けたことを特徴とするテ−ブル用パラソル保持具。【選択図】  図１
2006341048.tif 000002
【特許請求の範囲】
【請求項１】
所要の内径を有する縦筒の側壁に、押しボルトを中空部へねじ込み可能に取付け、また、縦筒の下端部に、４本の係留紐を横方向の放射状に取付けたことを特徴とするテ−ブル用パラソル保持具。
【発明の詳細な説明】
【技術分野】
【０００１】  本発明は、テ−ブルにセットした据置型のパラソルが風によって傾斜することを防止する、テ−ブル用パラソル保持具に関するものである。
【背景技術】
【０００２】  従来、屋外のテ−ブルにセットした据置型のパラソルは、風を受けると傾斜し易いために、傘軸の下部を専用台、又は地面に立てたパイプ等に取付けて傾斜することを防止していた。
【発明の開示】
【発明が解決しようとする課題】
【０００３】  そのために、次のような問題点があつた。
パラソルをセットしたテ−ブルを移動する場合は、まず、パラソルを取外して専用台、又はパイプ等を移動予定の場所へ移設し、ついで、その場所へテ−ブルを移動後にパラソルを改めてセットしていた。従って、テ−ブルをスライドする程度の僅かな距離の移動であっても上記と同様の手間がかゝり不便であった。
本発明は、以上の問題点を解決しようとするものである。
【課題を解決するための手段】
【０００４】  所要の内径を有する縦筒の側壁に、押しボルトを中空部へねじ込み可能に取付け、また、縦筒の下端部に、４本の係留紐を横方向の放射状に取付ける。以上を特徴とするテ−ブル用パラソル保持具である。
【発明の効果】
【０００５】  パラソルをセットした状態にてテ−ブルをスライドして移動できるので、僅かな距離の移動は簡単で手間がかゝらず便利である。
【発明を実施するための最良の形態】
【０００６】  以下、本発明の実施の形態を説明する。
（イ）パラソルの傘軸が挿通可能な内径を有する縦筒（１）の側壁（２）に、押しボルト（４）を中空部（３）にねじ込みできるように取付ける。
（ロ）縦筒（１）の下端部に、４本の係留紐（５）を横方向の放射状に取付ける。
本発明は、以上の構成よりなつている。
本発明を使用するときは、テ−ブル（６）にセットしたパラソル（８）の傘軸の下端部を縦筒（１）に挿入する。ついで、押しボルト（４）を中空部（３）にねじ込み縦筒（１）を傘軸に固定した後、４本の係留紐（５）を横方向の放射状にひろげて、それぞれ至近位置のテ−ブル脚（７）にたるみがないように結び付けると、パラソル（８）は、傘軸がテ−ブル（６）と縦筒（１）によって横方向への移動を防止されるから、風を受けても傾斜することはない。テ−ブル（６）を移動する場合は、パラソル（８）をセットした状態にて地面をスライドさせて行う。
また、係留紐（５）の長さを調節すれば、セットしたパラソル（８）の傾斜角度を変更することができる。
【図面の簡単な説明】
【０００７】
【図１】  本発明の斜視図
【図２】  本発明の使用状態を示す斜視図
【符号の説明】
【０００８】  １  縦筒
２  側壁
３  中空部
４  押しボルト
５  係留紐
６  テ−ブル
７  テ−ブル脚
８  パラソル
【図１】
2006341048.tif 000003
【図２】
2006341048.tif 000004
(57)【要約】      （修正有）【課題】耳回りの複雑な溝の中の、アカやベタつく皮脂などの汚れを、洗い流すための専用道具を提供する。【解決手段】狭くて複雑な耳回りの溝の中を洗い流すのにふさわしいような、丸みを帯びたスポンジ体３を製作するとともに、スポンジ体３が、必要以上にしなったり変形しすぎたりしないよう、スポンジ体３の中に、適度な大きさの軸棒２部を設けるか、または取り付けられるようにした。これにより、複雑な耳の溝の中でも、泡立てたスポンジ体３を適切な場所にピンポイントで当てることができるとともに、さらに、複雑な溝の中でも、スポンジ体３を自由に這わせるように移動させながら洗浄できるようにした。【選択図】図１
2006341047.tif 000002
【特許請求の範囲】
【請求項１】
（イ）柄（１）に軸棒部（２）を設ける。または取り付ける。
（ロ）スポンジ体（３）に軸穴（４）を設ける。
（ハ）軸穴（４）に軸棒部（２）を挿入することによって、柄（１）にスポンジ体（３）を取り付ける。
以上の構成よりなる、耳回りの溝の中などを洗浄する道具。
【発明の詳細な説明】
【技術分野】
【０００１】  この発明は、耳回りの複雑な溝の中などの、アカやベタつく皮脂などの汚れを、石鹸等の洗浄剤の泡と共に洗い流せるようにした、耳回りを洗浄する道具に関するものである。
【背景技術】
【０００２】  従来、耳回りの溝の中などの汚れを取る方法は、主に綿棒が用いられている。
【発明の開示】
【発明が解決しようとする課題】
【０００３】  これは、次のような欠点があった。
綿棒は、汚れを洗い流すのではなく、あくまで、汚れをぬぐうための道具であるため、汚れがスッキリとは取りきれず、汚れをただ伸ばし広げるだけになることもあった。細かいアカは上手にすくい取れなかったり、また、ベタつく皮脂などは、そのアブラ性ゆえに、ぬぐう行為だけではスッキリとは取りきれなかった。【０００４】  また、石鹸などの泡の洗浄力を活かして体を洗うときに使われるナイロンタオル等を用いて洗う方法も考えられるが、指にナイロンタオルをかぶせると、指の太さとナイロンタオルの厚みが加わるため、狭い耳の溝の中には、うまく入り込めず、結局、耳回りの複雑な溝の中までは、きれいに洗いきれなかった。
ボディ用スポンジを用いても、複雑な溝の中までは、洗いきれなかった。
【課題を解決するための手段】
【０００５】  耳回りの複雑な溝の中のアカやベタつく皮脂をスッキリと洗い流すためには、泡立ちの良いスポンジを、耳の溝の中を洗うに適した丸みを帯びた大きさに加工するとともに、なおかつ、それを用いて、狭くて複雑な耳の溝の中でも、自由に移動して這わせやすくすることによって、洗浄しやすいものにしなければならない。
そのために、下記に示す道具を発明した。【０００６】  （イ）柄（１）に軸棒部（２）を設ける。または取り付ける。
（ロ）スポンジ体（３）に軸穴（４）を設ける。
（ハ）軸穴（４）に軸棒部（２）を挿入することによって、柄（１）にスポンジ体（３）を取り付ける。
本発明は、以上の構成よりなる耳回りの溝の中などを洗浄する道具である。
【発明の効果】
【０００７】  本発明品を使用することにより、泡立てたスポンジが、耳回りの狭い溝の中にもよく届き、アカやベタつく皮脂などの汚れを、スッキリ洗い流すことができるようになる。
以下でも説明するように、狭くて複雑な耳の溝の中でも使いやすく、かつ洗浄効果が出やすいように工夫したため、本発明品によって、使用者は、非常に便利で、より確実に、耳回りの複雑な溝の中を、清潔に洗浄できるようになる。
【発明を実施するための最良の形態】
【０００８】  以下、本発明の実施の形態を図１〜図２に基づいて説明する。【０００９】  狭くて複雑な耳回りの溝の中を洗浄するのにふさわしいように、丸みを帯びたスポンジ体（３）を製作し、柄（１）に取り付ける。
この際、柄（１）には、軸棒部（２）を設けるか、または取り付けられるようにし、この軸棒部（２）を、スポンジ体（３）の軸穴（４）に挿入する。
これにより、図２の状態になったとき、スポンジ体（３）の中に挿入された軸棒部（２）が、芯の役割をもつようになる。【００１０】  スポンジ体の中の軸棒部が、芯の役割をもつことにより、使用者が洗いたいと思っている場所へ、適切に、ピンポイントで泡立てたスポンジを押し当てたり、耳の溝の中に当てがったまま、這わせるように、スポンジを移動させることができるようになる。
芯がない場合は、スポンジがしなりすぎたり、必要以上に変形したりするため、スポンジを適切な場所へ当てたり、複雑な耳の溝の中で、自由に這わせて移動させることができない。
この、適切な場所にスポンジを当てられ、かつ、自由に移動させられることが、洗浄効果を上げるうえで、きわめて重要な要素となる。
なぜならば、使用者は、泡立てたスポンジを肌に触れさせるだけでなく、さらに、やさしくマッサージするように、適度に移動させてこする行為によって、その部分の汚れをからめ取ったり、洗浄による爽快感が得られるからである。
これらは、一般のボディ用スポンジやナイロンタオルをそのまま応用させるだけでは成し得ない、重要な工夫の要素となった。
本発明品により、使用者は、洗いづらかった耳回りの狭い溝の中でも、泡立てたスポンジを適切かつ自由に当てたり移動させたりしながら洗浄することができ、爽快な洗浄効果を得られるようになる。
【図面の簡単な説明】
【００１１】
【図１】  本発明の分解斜視図である。
【図２】  本発明の斜視図である。
【符号の説明】
【００１２】  １  柄
２  軸棒
３  スポンジ体
４  軸穴
【図１】
2006341047.tif 000003
【図２】
2006341047.tif 000004
(57)【要約】【課題】  ベルトの長さの調節を、簡単な金具によって行うなうことを得る。【解決手段】  支持管１の内側面と留め棒３の表面との間にベルト２が、挟み込まれて係止されるように設ける。【選択図】  図１
2006341045.tif 000002
【特許請求の範囲】
【請求項１】
略Ｃ形状の横断面を有する支持管（１）の内側に二つ折りしたベルト（２）を挟み込み、且つ、二つ折りしたベルト（２）の内側に留め棒（３）を嵌め込み、この事によってベルト（２）が、留め棒（３）の表面と支持管（１）の内側面に挟まれて、支持管（１）に係止されるようにしたことを特徴とするベルト調節金具。
【発明の詳細な説明】
【技術分野】
【０００１】  本発明は、ベルトの長さを簡単に調節できる小形な金具に関するものである。
【背景技術】
【０００２】  従来、ベルトの調節金具としては、緩みやすいものや比較的大型のものが多いように思われる。参考文献として（実願昭７−５９６１号公報）（実願昭５３−１０９７４６号）を参照した。
【発明が解決しようとする課題】
【０００３】  本発明は、前述のような問題点に鑑みて成されたものであり、支持管の内側面と棒の表面との間にベルトを挟み込んで係止して、簡単にベルトの長さの調節を行うことのできる金具を提供しようとするものである。
【課題を解決するための手段】
【０００４】  上記の目的を達成するために、略Ｃ形状の横断面を有する支持管の内側に二つ折したベルトを挟み込み、且つ、二つ折りしたベルトの内側に留め棒を嵌め込みこのことによってベルトが留め棒の表面と支持管の内側面に挟まれて、支持管に係止されるようにして成るものである。
【０００５】  留め棒の先端は、二つ折りしたベルトの内側に、きつめに嵌め込めるようにし着脱可能とすると良い。
【発明を実施するための最良の形態】
【０００６】  発明の実施の形態について図面を参照して説明する。【０００７】  図１において、全体が小型で軽量化されている。【０００８】  図２においては、留め棒３が、支持管１に嵌め込まれて座金４と割りピン５によって留められており、ベルト２の他の一端６が、かぎ金具７によって、かけ金具８に取り付けられている。【０００９】  図３において、二つ折りして支持管１に挟み込まれたベルト２の内側面に留め棒３が嵌め込まれている。更に、ベルト２は押さえ金具９によって押さえられ、ベルト６はリベット１０によって、かぎ金具８に取り付けられている。
【発明の効果】
【００１０】  本発明は、以上説明したように構成されているので、以下に記載されているような効果を得る事ができる。
【００１１】  調節を行おうとする長さに合わせて、ベルト２を折り曲げて支持管１に挟み込み、そのベルト２の内側に留め棒３を着脱可能に嵌め込み、割りピンによって抜けを防止して、ベルト２を支持管１の内部に確実に係止することができる。
【図面の簡単な説明】
【００１２】
【図１】  ベルト調節金具の斜視図である。
【図２】  ベルト調節金具の平面図である。
【図３】  ベルト調節金具の要部縦断面図である。
【符号の説明】
【００１３】  １    支持管
２    ベルト
３    留め棒
４    座金
５    割りピン
６    ベルト２の他の一端
７    かぎ金具
８    かけ金具
９    押さえ金具
１０  リベット
【図１】
2006341045.tif 000003
【図２】
2006341045.tif 000004
【図３】
2006341045.tif 000005
(57)【要約】      （修正有）【課題】新幹線や飛行機などで靴を脱いで足を休める場所が無く、靴が脱げないため、足が蒸れることで、不快感を感じ快適な休息ができなかった。足元に広げることによって、靴を脱いで快適に足を休めることのできるスペーを確保し、収納するときも清潔に操舵できる敷物を提供する。【解決手段】ビジネスバックに二つ折りで収納できる大きさの敷物で、二つ折りできるように折りたたみの線をつける。足を置く側の表の折りたたみ線上中央に取っ手をつける。【選択図】図１
2006341043.tif 000002
【特許請求の範囲】
【請求項１】
新幹線などで、靴を脱いで足を休める足元に敷く敷物で、二つ折りにできるような作りになっており、コンパクトに鞄に収納できる足元快適用敷物。
【発明の詳細な説明】
【技術分野】
【０００１】    この発明は、折りたたみできるような作りになっている敷物で、新幹線などで靴を脱いで足を休めることのできるコンパクト敷物である。
【背景技術】
【０００２】    現在、新幹線のグリーン車などは、靴を脱いで足を休めることのできる足置きがあるが、普通車では、靴を脱いで足を休める場所がなかった。
【発明の開示】
【発明が解決しようとする課題】
【０００３】これは次のような問題があった。
靴が脱げないため、足が蒸れることで、不快感を感じ快適な休息ができなかった。
本発明は、以上の欠点をなくすためになされたものである。
【課題を解決するための手段】
【０００４】１）ビジネスバックに二つ折りで収納できる大きさの敷物を準備。
２）二つ折りにできるよう折りたたみの線をつける。
３）表（足を置く側）の折りたたみ線上中央に取っ手をつけることにより、広げる時もた    たむ時も容易に操作でき、しかも清潔に操作できる。
【発明の効果】
【０００５】新幹線や飛行機などで、この敷物をビジネスバックから取り出し、足元に広げることによって、靴を脱いで快適に足を休めることのできるスペースを確保できる。しかも、取っ手がついているので広げる時も収納する時も清潔に操作できる。
【発明を実施するための最良の形態】
【０００６】  以下、本発明の実施例について説明する。
真中で折りたたむことのできる敷物本体（１）を準備する。大きさは、半分に折りたたんでビジネスバッグに収納できる面積と、かさばらないように薄地の素材が望ましい。
折りたたみ線（２）上中央に、取っ手（３）を付けることによりビジネスバッグからの取り出し、及び、収納時に容易に、清潔に操作できる。足を置く面（表）の素材を畳様の素材にするなどさまざまな工夫により、更に快適なスペースをつくることができる。
また、床設置面（裏）の素材をラバーなどにすることにより、滑りを防止することも最良の形態として重要である。
【図面の簡単な説明】
【０００７】
【図１】本発明の平面図である。
【図２】本発明の折りたたんだ時（鞄収納時）の平面図である。
【符号の説明】
【０００８】本体（１）
折りたたみ線（２）
取っ手（３）
【図１】
2006341043.tif 000003
【図２】
2006341043.tif 000004
(57)【要約】【課題】冬水に手を入れて米を洗う苦痛を排除し、磨ぎ汁を流した時米が流出することを防ぎ、短時間で洗米することを提供する。【解決手段】水道の水を炊飯釜の真上にセットし、水で米を攪拌摩擦をし米糠や不純物を流出する洗米で従来の課題を解決した洗米網。【選択図】図３
2006341044.tif 000002
【特許請求の範囲】
【請求項１】
水を通し米を通さない大きさの網目１を有し金属製の網又は合成樹脂製の網とで帯状２に形成され、この帯状２を湾曲させ筒状３にするために両端を接着し炊飯釜に嵌めて洗米することを特徴とする洗米網。
【発明の詳細な説明】
【技術の分野】
【０００１】この発明は炊飯釜で米を洗う洗米網の形状に関するものである。
【背景技術】
【０００２】従来米を洗う時は炊飯釜や容器に米を入れ水を注ぎ米糠や不純物を手で攪拌摩擦をして揉み洗いをする。米に付着した米糠や不純物を磨いだ後炊飯釜や容器を斜めに傾け磨ぎ汁を流す。それを何回か繰り返し行うので時間がかかる。
【発明の開示】
【発明が解決しようとする課題】
【０００３】しかしながら以上の技術によれば、冬は水に手を入れて米を洗うのが苦痛でありまた手の皮膚がアカギレやシモヤケ等が心配である。又磨ぎ汁を流した時炊飯釜や容器と手の間から米が流出することを免れない。そこでこの発明は手を濡らすことなく短時間で洗米することを提供することを課題とする。
【課題を解決するための手段】
【０００４】以上の課題を解決するため、洗米網を嵌めた炊飯釜の中央に水道の蛇口をセットし水圧で米を左右上下に攪拌摩擦をし米糠や不純物を洗い流すと共に磨ぎ汁を炊飯釜の外に流出する洗米で従来の課題を解決した。詳細は以下に述べたとおりの構成要件を具備する【０００５】水を通し米を通さない大きさの網目１を有し金属製の網又は合成樹脂製の網とで帯状２に形成され、この帯状２を湾曲させ筒状にするために両端を接着し炊飯釜に嵌めて洗米することを特徴とする洗米網。
【発明の効果】
【０００６】簡単に洗い干すことができる
簡単構造で使いやすい
経済的で安い
【発明を実施するための最良の形態】
【０００７】本発明を一実施例を図面に基ずいて詳細に説明する。図１は洗米網の平面図である。図２は炊飯釜である。図３は炊飯釜の縁上内部側周囲に洗米網を嵌めた状態を示す斜視図である。【０００８】図１及び図３に於いて、洗米網は金属製の金網または合成樹脂製の網が良くこの網を帯状２に成形する。帯状２の幅は１０糎及び１５糎程度が良い。長さは１升炊き炊飯釜で８０糎程度、５合炊き炊飯釜で７０糎程度成形する。もしくは長さは炊飯釜の縁上内部側周囲より多少長めに成形すると良い。この帯状２を湾曲させ筒状３にし両端をマジックテープまたは板磁石などの部品で接着する。その筒状３にした洗米網を炊飯釜の縁上内部側周囲に幅５糎及び７糎程度嵌める。この洗米網が緩く外れそうなときはピンチ及びストッパーなどの器具を使って洗米網と炊飯釜を密着させて留めて嵌める。また決まった炊飯釜に洗米網を嵌めて使う時には、密着したままの状態で洗米網の両端をマックスで留めて筒状３にしたまま使う。また帯状２の長さを多めに長くし湾曲にし筒状３すると、金属製の金網又は合成樹脂製の網の弾性により接続部品使わず筒状３に維持し接着することが出来、使用することが出来る。【０００９】炊飯釜と洗米網がセットできたら炊飯釜の中に米を入れ、水道の蛇口６を炊飯釜の中心に位置し蛇口６を一杯に開いて水道水をいきよい良く炊飯釜に注ぐ。米は水道水の水圧と流れ落ちる水により炊飯釜の中を右左、上下に繰り返しかき混ぜ米同士が摩擦し自然にに洗われる。【００１０】炊飯釜に注がれた水は米磨ぎをしながら米糠や不純物を米の表層から洗い落とす。炊飯釜より上部の洗米網の部分がオーバーフロー用の網になる。よって汚水は炊飯釜上部の洗米網から排出オーバーフローする。オーバーフロー用洗米網は水は通すが米は通さない孔１になっているので排水に混ざった米糠や不純物は外に流出される。勿論米は網目１を通らないので流れ出ることはない。【００１１】洗米の時間は１升で３分、５合で２分程度で充分綺麗になる。米の洗い上がりは水に濁りがなく水が綺麗になっていれば良い。洗米が終われば炊飯釜に炊飯分量だけの水をのこし炊飯器にセットすればご飯が炊けるのである。【００１２】本発明の洗米網は炊飯釜以外の鍋や容器でも使える。鍋や容器の縁上内部側周囲はおうとつがないほうが良く底は湾曲になっているほうが良い。
【図面の簡単な説明】
【００１３】
【図１】洗米網の平面図
【図２】炊飯釜
【図３】炊飯釜に洗米網を嵌めた斜視図
【符号の説明】
【００１４】１網目、孔
２帯状
３筒状
４マジックテープ又は板磁石などの部品
５ピンチ及びストッパーなどの器具
６蛇口
【図１】
2006341044.tif 000003
【図２】
2006341044.tif 000004
【図３】
2006341044.tif 000005
(57)【要約】      （修正有）【課題】崩れやすい豆腐をスムーズに切って、移すことが出来るように二面の仕切りがあり、取っ手のついたまな板を提供する。【解決手段】まな板本体１に仕切りまな板２，３をつけることによって豆腐を安定させ、移動させやすいように取っ手４をつけ、スムーズに行動が出来るようにする。【選択図】図１
2006341056.tif 000002
【特許請求の範囲】
【請求項１】
まな板に高さのある２枚の仕切りを取付けたこと。
【請求項２】
まな板に取っ手を取付けたこと。
【発明の詳細な説明】
【技術分野】
【０００１】本発明は豆腐の「切って入れる」をスムーズに行うために、ひとつのまな板にあと二面のまな板と取っ手を付けたものである。
【背景技術】
【０００２】高さがある仕切りと取っ手がついたまな板がなかった。
【発明の開示】
【発明が解決しようとする課題】
【０００３】一般的に豆腐を切る時に「手のひら」や「まな板」で切っていたが、手のひらで切ると手を切りそうで怖かったり、端からポロリとこぼれたりしていた。また、普通のまな板だと切っている時に形が崩れたりこぼれ落ちたりし鍋や皿に移す時など、上手に入れる事が出来ずにいた。本発明は、この課題を解消するためになされたものである。
【発明が解決するための手段】
【０００４】まな板本体１に仕切りまな板２、３を付けることによって、豆腐が安定され、切りやすく、取っ手４もついていることから他へ移しやすくした。
【発明の効果】
【０００５】色んな形や固さの豆腐でも、高い仕切りがあるために切りやすく、移す時も落とすことなくスムーズな動作が出来る。しかも取って４がついていることにより移すのも容易である。
以下、本発明の実施の形態について説明する。
（イ）．まな板本体１の縁に仕切りまな板２、３をつける。
（ロ）．仕切りまな板３の外側底面に、取っ手４をつける。
【実施例１】
【０００６】
【図面の簡単な説明】
【０００７】
【図１】本発明の正面図である。
【図２】本発明の使用状態を示す断面図である。
【符号の説明】
【０００８】１  まな板本体
２  仕切りまな板
３  仕切りまな板
４  取っ手
【図１】
2006341056.tif 000003
【図２】
2006341056.tif 000004
(57)【要約】【課題】  従来の本棚では大きさの異なる本を並べた時に本の背に段差ができ外見上良くないだけでなく、薄く小さい本では隠れてしまうことがあった。また本の小口より背側の空間が狭いため冬季には結露・カビの発生の原因となっていた。さらに地震の際に本が容易に飛び出してしまっていた。容易に傾斜面置き切替えができなかった。【解決手段】  棚板の前縁近くに沿ってストッパーを設けることによりそれにそろえて本を置くと様々な大きさの本を並べても本の背が前面にそろい審美性、視認性に優れるほか、背側の空気の流れが良くなることで結露・カビの発生を防止し、またストッパーは地震の際の本の飛び出しを抑制する。側版の棚板固定用孔を複数設けて棚板を水平でも傾けても設置できるようにして、傾斜面置きへの切替えも可能となる。【選択図】  図４
2006341060.tif 000002
【特許請求の範囲】
【請求項１】
本棚の（水平）棚板にその前縁近くに沿ってストッパーを設けることにより本の背を前面にそろえて並べることができる本棚。本棚の側版の棚板固定用孔を複数設けて棚板を水平だけでなく傾けても設置できるようにし、これにより傾斜面置きへの切替えも可能となる本棚。
【発明の詳細な説明】
【技術分野】
【０００１】  本発明は本を並べた時の審美性、視認性、安全性や清潔性を高めることと多様な展示形態を可能とする本棚に関する。
【発明の開示】
【発明が解決しようとする課題】
【０００２】  従来の本棚では大きさの異なる本を並べた時に前面で本の背に段差が生じ外見上良くないだけでなく、薄く小さい本では隠れて見えなくなってしまうことがあった。【０００３】  従来の本棚では本を背面にあてるかその近くまで押し込む形になるため本の小口より背面の空間が狭く通気性が悪くなり冬季には結露・カビの発生の原因となっていた。【０００４】  従来の本棚では地震の際に本が容易に飛び出してしまっていた。【０００５】  容易には傾斜面置きディスプレイに切替えることができなかった。
【課題を解決するための手段】
【０００６】  本棚の棚板の前縁近くに沿って小突起をなすストッパーを設ける。それにあてるように本を並べる。【０００７】  本棚の側版の棚板固定用孔を複数設けて、棚板を水平でも傾けても設置できるようにする。
【発明の効果】
【０００８】  様々な大きさの本を並べても本の背が前面にきれいにそろって並び、また薄い本も隠れずに見える。本の小口より背側により大きな空間ができ通気性が良くなることで結露・カビの発生を防止する。ストッパーが前方の障害物となるため地震の際の本の飛び出しを抑制する。【０００９】  棚板を傾けて設置してもストッパーがあるため本などを傾斜面置きにしても落ちずに展示できる。
【発明を実施するための最良の形態】
【００１０】  以下、本発明の実施形態を図１〜４に基づいて説明する。【００１１】  棚板は図１，２のように前縁近くにストッパー１を設置する。ストッパーの形態は様々なものでよいが大きすぎず棚板全幅にわたり連続している長方体がよい。（さらにストッパーに本立てを固定できるよう溝を多数設けてもよい。）【００１２】  側板は図３のように棚板固定用構造である孔２を増やして、棚板を水平でも前に傾けても設置できるようにする。【００１３】  全体像は図４のようになる。本を入れる時に本の背をストッパーにあてるようにして置く。よって棚板どうしの間隔は本の全高よりすこし長くとり手を入れることができるようにする。
【図面の簡単な説明】
【図１】本棚の棚板の上面図である。
【図２】本棚の棚板の側面図である。
【図３】本棚の側板の側面図である。
【図４】本棚全体の斜視図である。
【符号の説明】
１    ストッパー
２    棚板固定用孔
【図１】
2006341060.tif 000003
【図２】
2006341060.tif 000004
【図３】
2006341060.tif 000005
【図４】
2006341060.tif 000006
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
本棚の（水平）棚板にその前縁近くに沿ってストッパーを設けることにより本の背を前面にそろえて並べることができる本棚。＿＿
【請求項２】
前記本棚は棚板を水平だけでなく傾けても設置できるようにして、傾斜面置きへの切替えも可能となる請求項１記載の本棚。